(57)【要約】【課題】電話番号に基づいて関連情報を検索し、簡易にアドレス帳に電話番号と宛先等の登録を行うことができる電子機器、登録方法及びプログラムを提供すること。【解決手段】通話終了後に、通話相手の電話番号を取得する取得部１１と、取得部１１で取得した電話番号に基づいて、情報管理サーバ１００に問い合わせを行う問合せ部１２と、情報管理サーバ１００から送信されてきた電話番号に対応する関連情報を受信する受信部１３と、受信部１３で受信した関連情報を表示部１４に表示する表示制御部１５と、表示制御部１５で関連情報を表示した後で、電話番号をアドレス帳Ａに登録するための操作が行われたかどうかを確認する確認部１６と、登録するための操作が行われたことを確認した場合、少なくとも、関連情報から抽出した名称と、電話番号とを関連付けてアドレス帳Ａに登録する登録部１７とを備える。【選択図】図１
2015192157.tif 000002
【特許請求の範囲】
【請求項１】
通話終了後に、通話相手の電話番号を取得する取得部と、
前記取得部で取得した電話番号に基づいて、情報管理サーバに問い合わせを行う問合せ部と、
前記情報管理サーバから送信されてきた前記電話番号に対応する関連情報を受信する受信部と、
前記受信部で受信した関連情報を表示部に表示する表示制御部と、
前記表示制御部で前記関連情報を表示した後で、前記電話番号をアドレス帳に登録するための操作が行われたかどうかを確認する確認部と、
前記登録するための操作が行われたことを確認した場合、少なくとも、前記関連情報から抽出した名称と、前記電話番号とを関連付けて前記アドレス帳に登録する登録部とを備える電子機器。
【請求項２】
前記取得部で取得した電話番号に基づいて、前記アドレス帳を検索する検索部と、を備え、
前記問合せ部は、前記検索部で検索された結果、前記電話番号が登録されていない場合に、前記取得部で取得した電話番号に基づいて、前記情報管理サーバに問い合わせを行う請求項１記載の電子機器。
【請求項３】
前記登録部は、電話番号に対応する関連情報の中から名称を含め、予め選択されている複数の項目をアドレス帳に登録する請求項１記載の電子機器。
【請求項４】
通話終了後に、通話相手の電話番号を取得する取得工程と、
前記取得工程で取得した電話番号に基づいて、情報管理サーバに問い合わせを行う問合せ工程と、
前記情報管理サーバから送信されてきた前記電話番号に対応する関連情報を受信する受信工程と、
前記受信工程で受信した関連情報を表示部に表示する表示制御工程と、
前記表示制御工程で前記関連情報を表示した後で、前記電話番号をアドレス帳に登録するための操作が行われたかどうかを確認する確認工程と、
前記登録するための操作が行われたことを確認した場合、少なくとも、前記関連情報から抽出した名称と、前記電話番号とを関連付けて前記アドレス帳に登録する登録工程とを備える登録方法。
【請求項５】
コンピュータに、
通話終了後に、通話相手の電話番号を取得する取得工程と、
前記取得工程で取得した電話番号に基づいて、情報管理サーバに問い合わせを行う問合せ工程と、
前記情報管理サーバから送信されてきた前記電話番号に対応する関連情報を受信する受信工程と、
前記受信工程で受信した関連情報を表示部に表示する表示制御工程と、
前記表示制御工程で前記関連情報を表示した後で、前記電話番号をアドレス帳に登録するための操作が行われたかどうかを確認する確認工程と、
前記登録するための操作が行われたことを確認した場合、少なくとも、前記関連情報から抽出した名称と、前記電話番号とを関連付けて前記アドレス帳に登録する登録工程とを実行させるためのプログラム。
【発明の詳細な説明】
【技術分野】
【０００１】
本発明は、アドレス帳への登録機能を有する電子機器、登録方法及びプログラムに関する。
【背景技術】
【０００２】
電話番号の入力を受け付けると、電話番号で特定される企業や店舗の広告情報等をユーザに提供する技術が提案されている（例えば、特許文献１を参照）。
特許文献１では、既存のデータベースを利用することにより、利用者の操作で情報端末から電話番号が入力されるだけで、その電話番号で特定される企業・店舗の広告情報等が当該情報端末を介して利用者に提供するシステムが開示されている。
【先行技術文献】
【特許文献】
【０００３】
【特許文献１】特開２００２−３２９１２９号公報
【発明の概要】
【発明が解決しようとする課題】
【０００４】
本発明は、電話番号に基づいて関連情報を検索し、簡易にアドレス帳に電話番号と宛先等の登録を行うことができる電子機器、登録方法及びプログラムを提供することを目的とする。
【課題を解決するための手段】
【０００５】
本発明に係る電子機器は、通話終了後に、通話相手の電話番号を取得する取得部と、前記取得部で取得した電話番号に基づいて、情報管理サーバに問い合わせを行う問合せ部と、前記情報管理サーバから送信されてきた前記電話番号に対応する関連情報を受信する受信部と、前記受信部で受信した関連情報を表示部に表示する表示制御部と、前記表示制御部で前記関連情報を表示した後で、前記電話番号をアドレス帳に登録するための操作が行われたかどうかを確認する確認部と、前記登録するための操作が行われたことを確認した場合、少なくとも、前記関連情報から抽出した名称と、前記電話番号とを関連付けて前記アドレス帳に登録する登録部とを備える構成である。
【０００６】
電子機器では、前記取得部で取得した電話番号に基づいて、前記アドレス帳を検索する検索部と、を備え、前記問合せ部は、前記検索部で検索された結果、前記電話番号が登録されていない場合に、前記取得部で取得した電話番号に基づいて、前記情報管理サーバに問い合わせを行う構成でもよい。
【０００７】
電子機器では、前記登録部は、電話番号に対応する関連情報の中から名称を含め、予め選択されている複数の項目をアドレス帳に登録する構成でもよい。
【０００８】
本発明に係る登録方法は、通話終了後に、通話相手の電話番号を取得する取得工程と、前記取得工程で取得した電話番号に基づいて、情報管理サーバに問い合わせを行う問合せ工程と、前記情報管理サーバから送信されてきた前記電話番号に対応する関連情報を受信する受信工程と、前記受信工程で受信した関連情報を表示部に表示する表示制御工程と、前記表示制御工程で前記関連情報を表示した後で、前記電話番号をアドレス帳に登録するための操作が行われたかどうかを確認する確認工程と、前記登録するための操作が行われたことを確認した場合、少なくとも、前記関連情報から抽出した名称と、前記電話番号とを関連付けて前記アドレス帳に登録する登録工程とを備える構成である。
【０００９】
本発明に係るプログラムは、コンピュータに、通話終了後に、通話相手の電話番号を取得する取得工程と、前記取得工程で取得した電話番号に基づいて、情報管理サーバに問い合わせを行う問合せ工程と、前記情報管理サーバから送信されてきた前記電話番号に対応する関連情報を受信する受信工程と、前記受信工程で受信した関連情報を表示部に表示する表示制御工程と、前記表示制御工程で前記関連情報を表示した後で、前記電話番号をアドレス帳に登録するための操作が行われたかどうかを確認する確認工程と、前記登録するための操作が行われたことを確認した場合、少なくとも、前記関連情報から抽出した名称と、前記電話番号とを関連付けて前記アドレス帳に登録する登録工程とを実行させるためのものである。
【発明の効果】
【００１０】
本発明によれば、電話番号に基づいて関連情報を検索し、簡易にアドレス帳に電話番号と宛先等の登録を行うことができる。
【図面の簡単な説明】
【００１１】
【図１】電子機器の構成を示すブロック図である。
【図２】電子機器による具体的な処理手順についての説明に供するフローチャートである。
【図３】表示部の画面遷移についての説明に供する図である。
【発明を実施するための形態】
【００１２】
本実施形態においては、電子機器１は、例えば、スマートフォンであるとして説明するが、これに限られない。電子機器１は、インストールされている様々なアプリケーションにより様々な機能（電話通信機能、地図表示機能等）を発揮する。
【００１３】
電子機器１は、図１に示すように、取得部１１と、問合せ部１２と、受信部１３と、表示部１４と、表示制御部１５と、確認部１６と、登録部１７とを備える。
取得部１１は、通話終了後に、通話相手の電話番号を取得する。具体的には、取得部１１は、ユーザによって終話の操作が行われたことにより通話の終了を検出、又は通話相手の操作により通話が終了した場合には通話終了の信号を検出したときに、通話相手の電話番号を通話履歴等から取得する。
【００１４】
問合せ部１２は、取得部１１で取得した電話番号に基づいて、情報管理サーバ１００に問い合わせを行う。
情報管理サーバ１００は、例えば、電話番号、店舗名称、ＵＲＬ、住所、メニュー、割引・クーポン情報、最新情報等が関連付けて店舗ごとにテーブル化されている。
【００１５】
受信部１３は、情報管理サーバ１００から送信されてきた電話番号に対応する関連情報を受信する。なお、関連情報とは、情報管理サーバ１００に記憶されているテーブルに記憶されている各種情報のことであり、例えば、店舗名称、ＵＲＬ等である。
表示制御部１５は、受信部１３で受信した関連情報を表示部１４に表示する。
【００１６】
確認部１６は、表示制御部１５で関連情報を表示した後で、電話番号をアドレス帳Ａに登録するための操作が行われたかどうかを確認する。なお、アドレス帳Ａは、電子機器１内に保存されていてもよいし、ネットワークを介して、クラウドとして外部のサーバ内に保存されていてもよし、その双方に保存されていてもよい。
【００１７】
登録部１７は、電話番号をアドレス帳Ａに登録するための操作が行われたことを確認した場合、少なくとも、関連情報から抽出した名称（店舗名称）と、電話番号とを関連付けてアドレス帳Ａに登録する。例えば、登録部１７は、アドレス帳Ａの名前の項目に店舗名称を入力し、電話番号の項目に電話番号を入力する。
【００１８】
このようにして、電子機器１は、通話の終了後に、いままで通話していた相手の電話番号に基づいて関連情報を検索し、簡易にアドレス帳Ａに電話番号と宛先等の登録を行うことができる。
【００１９】
電子機器１は、図１に示すように、取得部１１で取得した電話番号に基づいて、アドレス帳Ａ内を検索する検索部１８を備える構成でもよい。
問合せ部１２は、検索部１８で検索された結果、電話番号が登録されていない場合に、取得部１１で取得した電話番号に基づいて、情報管理サーバ１００に問い合わせを行う。
【００２０】
このようにして、電子機器１は、通話の終了後に、いままで通話していた相手の電話番号がアドレス帳Ａに得録されていないことを確認した後で、電話番号に基づいて関連情報を検索し、簡易にアドレス帳Ａに新規の電話番号と宛先等の登録を行うことができる。
【００２１】
登録部１７は、電話番号に対応する関連情報の中から名称を含め、予め選択されている複数の項目をアドレス帳Ａに登録する構成でもよい。
【００２２】
このような構成によれば、電子機器１は、関連情報の中から必要な項目をアドレス帳Ａに登録することができ、利便性の向上を図ることができる。
【００２３】
つぎに、電子機器１による具体的な処理手順について、図２に示すフローチャートを参照しながら説明する。以下では、ユーザにより通話が終了されたものとして説明する。例えば、ユーザは、図３（ａ）に示すように、表示部１４に表示されているオンフックのアイコンＡをタッチすることにより通話の終了を行う。また、電子機器１は、通話の終了後に、通話相手の電話番号に基づいて関連情報を検索し、簡易にアドレス帳Ａに電話番号と宛先等の登録を行う機能を有するアプリケーション（以下、アドレス帳登録アプリ）がバックグラウンドで待機しているものとして説明するが、これに限られない。
【００２４】
ステップＳ１において、取得部１１は、通話の終了を検知する。
ステップＳ２において、問合せ部１２は、取得部１１で取得した電話番号に基づいて、情報管理サーバ１００に問い合わせを行う。
【００２５】
ステップＳ３において、情報管理サーバ１００は、問い合わせを受けた電話番号がテーブルに登録されているか否かを判断する。電話番号がテーブルに登録されている場合（Ｙｅｓ）には、ステップＳ４に進み、電話番号がテーブルに登録されていない場合（Ｎｏ）には、処理を終了する。
【００２６】
ステップＳ４において、情報管理サーバ１００は、テーブルから電話番号に対応する関連情報を読み出す。
ステップＳ５において、情報管理サーバ１００は、読みだした関連情報を電子機器１に送信する。
【００２７】
ステップＳ６において、受信部１３は、情報管理サーバ１００から送信されてきた電話番号に対応する関連情報を受信する。
ステップＳ７において、表示制御部１５は、受信部１３で受信した関連情報を表示部１４に表示する。例えば、表示制御部１５は、図３（ｂ）に示すように、アドレス帳登録アプリ上の各領域に関連情報を表示する。
【００２８】
具体的には、電子機器１は、図３（ｂ）中のＸ１がタップ操作されたことを検出すると、店舗情報の詳細（例えば、画像等により店内の様子が示される）を表示する。電子機器１は、図３（ｂ）中のＸ２がタップ操作されたことを検出すると、地図を表示する地図アプリケーションを起動し、現在表示されている店舗の位置情報を表示する。
電子機器１は、図３（ｂ）に中の領域Ｘ３がスワイプ操作されたことを検出すると、現在配信中のキャンペーンやクーポン情報（例えば、「３０００円以上のコースご利用  ４名様以上で１名様分無料」、「１７時までに入店の場合  ビール一杯無料」等）をスクロール表示する。電子機器１は、図３（ｂ）中の領域Ｘ４がスワイプ操作されたことを検出すると、その他の情報（例えば、お得な情報等）を表示する。
また、電子機器１は、図３（ｂ）中のＸ６がタップ操作されたことを検出すると、アドレス帳登録アプリを閉じ、アドレス帳登録アプリをバックグラウンドで待機状態にする。
【００２９】
ステップＳ８において、確認部１６は、表示制御部１５で関連情報を表示した後で、電話番号をアドレス帳Ａに登録するための操作が行われたかどうかを確認する。登録するための操作が行われた場合（Ｙｅｓ）には、ステップＳ９に進み、登録のための操作が行われなかった場合には、処理を終了する。例えば、確認部１６は、図３（ｂ）中のＸ５がタップ操作されたことを検出すると、アドレス帳Ａに登録するための操作が行われたと判断する。
【００３０】
ステップＳ９において、登録部１７は、電話番号をアドレス帳Ａに登録するための操作が行われたことを確認した場合、少なくとも、関連情報から抽出した店舗名称と、電話番号とを関連付けてアドレス帳Ａに登録する。例えば、登録部１７は、図３（ｃ）に示すように、「名」の項目に店舗名（焼肉  トッキョ）を入力し、「電話番号」の項目に電話番号（０５０−００００−００００）を入力する。なお、関連情報から抽出するものとしては、店舗名称、電話番号に限らず、住所等でもよい。また、登録部１７は、「完了」ボタンがタップ操作されたことを検出した場合、入力された内容で新規の店舗情報がアドレス帳Ａに登録する。なお、登録部１７は、「キャンセル」ボタンがタップ操作されたことを検出した場合、入力された内容をキャンセルし、アドレス帳Ａへの登録を行わない。
【００３１】
このようにして、電子機器１は、通話の終了後に、いままで通話していた相手の電話番号に基づいて関連情報を検索し、簡易にアドレス帳Ａに電話番号と宛先等の登録を行うことができる。
【００３２】
また、本実施例では、主に、電話番号に基づいて関連情報を検索し、簡易にアドレス帳に電話番号と宛先等の登録を行うための電子機器の構成と動作について説明したが、これに限られず、各構成要素を備え、電話番号に基づいて関連情報を検索し、簡易にアドレス帳に電話番号と宛先等の登録を行うための方法、及びプログラムとして構成されてもよい。
【００３３】
さらに、電子機器の機能を実現するためのプログラムをコンピュータで読み取り可能な記録媒体に記録して、この記録媒体に記録されたプログラムをコンピュータシステムに読み込ませ、実行することによって実現してもよい。
【００３４】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００３５】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００３６】
１  電子機器
１１  取得部
１２  問合せ部
１３  受信部
１４  表示部
１５  表示制御部
１６  確認部
１７  登録部
１８  検索部
１００  情報管理サーバ
【図１】
2015192157.tif 000003
【図２】
2015192157.tif 000004
【図３】
2015192157.tif 000005